(57)【要約】      （修正有）【課題】船体外板からアノードを突出させず、かつ、アノードの取り付け位置を適宜調整可能なアノード取付構造を提供する。【解決手段】船舶船体外板１０１の適宜の箇所に防食アノード１を配置するレセス２を設け、前記アノードの表面を前記船体外板１０１と面一又はそれより低い適宜の位置とし、かつ、前記レセス２と前記アノード１との間に周囲の水流が流れ込む間隙を設け、前記アノード１を船体内からハンドル５、５等で押し出し可能にした。【選択図】図１
2015140058.tif 000002
【特許請求の範囲】
【請求項１】
船舶船体外板の適宜の箇所に防食アノードを配置するレセスを設け、前記アノードの表面を前記船体外板と面一又はそれより低い適宜の位置とし、かつ、前記レセスと前記アノードとの間に周囲の水流が流れ込む間隙を設け、前記アノードを船体内から押し出し可能にしたことを特徴とする船体外板付アノード取付構造。
【請求項２】
船舶船体外板の適宜の箇所に防食アノードを配置するレセスを設け、当該レセス開口面に複数の開口を有するアノードカバーを前記船体外板と面一に設けたことを特徴とする船体外板付アノード取付構造。
【請求項３】
船舶船体外板の適宜の箇所に防食アノードを配置するレセスを設け、当該レセス開口面に複数の開口を有するアノードカバーを前記船体外板と面一に設け、かつ、前記アノードを船体内から押し出し可能にしたことを特徴とする船体外板付アノード取付構造。
【請求項４】
前記アノードの船体内から押し出す適宜の位置は、船舶の航海速力の低下あるいは主機燃費の計算結果に基づいて前記アノードを船体内から押し出し決定したことを特徴とする請求項１又は３に記載の船体外板付アノード取付構造。
【請求項５】
前記レセスは、船舶のプロペラ近傍の船尾部に配置したことを特徴とする請求項２ないし４のいずれかに記載の船体外板付アノード取付構造。
【請求項６】
前記アノードカバーに設ける複数の開口のうちの一つの開口の大きさを前記アノードカバーの表面積の３０分の１よりも小さくしたことを特徴とする請求項２又は３に記載の船体外板付アノード取付構造。
【発明の詳細な説明】
【技術分野】
【０００１】
本発明は、船体外板に取り付けるアノードの取付構造に関する。
【背景技術】
【０００２】
従来、船舶には図４および図５のように船体外板の電食を防止するため防腐板としてアノード電極が取付けられている。
図４は、従来の船舶に取り付けられるアノード電極の配置位置を示す概略図であり、図５は、当該アノード電極を船体外板上から見た拡大図である。図４、図５において、符号１００は、船体、１０１は、船体外板、１０２は、アノード、１０３は、喫水線、１０４は、居住区、太矢印は水の流れである。
【０００３】
図５から明らかなように、従来の船舶では、前記アノード１０２を前記船体外板１０１に取り付けた場合、該アノード１０２の深さ分だけ船体外板１０１から突出しているため、喫水線１０３下の水の流れに悪影響を与えてしまい、航海速力の低下あるいは主機燃費の悪化といった問題を引き起こす可能性があった。例えば、５年仕様のアノード電極の場合、約０．０５ノットの速度低下を招く。
【０００４】
そこで、例えば、前記アノードを船尾船体外板に設けたレセス内に配置する実開昭６３−１０２５９５号公報に開示のものが知られている。
実開昭６３−１０２５９５号の開示は、考案名称「船舶の防食用アノード」に係り、「船尾ライン形状に影響を及ぼさない取付可能な規格型アノードと取替えの簡便さを目的とし、新設時から衰耗による取替え時期までアノードが船体外板ラインとほぼ同一面に位置し、船舶の推進性能の維持、向上を計かる。また、従来のアノード配置は垂直方向とすると水の抵抗が増すため、水平方向の配置しか出来なかったが、これをアノード配置効率と船体形状（船のライン）に適切な多方向の取付けを可能とする、船舶の防食用アノードをも提供する」ことの解決する問題点において（同公報明細書２頁１０行〜１９行参照）、「船尾船体外板に設けた開口にボックスプレートから成る水密構造のレセスを設け該レセスに緩衝材を有するアノードを前記外板に当接した」構成とすることにより（同公報明細書実用新案登録請求の範囲の記載参照）、「（１）船尾ラインがスムーズな曲線となり、船舶の推進性能が向上する。（２）アノードの取付け、取替えが容易となる。（３）船体構造部位に適した多方向への配置が可能。」等の効果を奏するものである（同公報明細書５頁４行〜８行参照）。
【０００５】
図６は、実開昭６３−１０２５９５号公報に第２図として添付される開示の考案の船舶の防食用アノードの一実施例の部分詳細図であり、図６において、２０１は、船尾船体、２０３は、アノード、２０４は、開口、２０５は、ボックスプレート、２０６は、緩衝材、２０７は、レセスである（なお、符号は、先行技術であることを明らかにするために、本願出願人において、２０１から始まる３桁に変更して付した。）。
【０００６】
しかしながら、実開昭６３−１０２５９５号に開示の「船舶の防食用アノード」は、レセス２０７内に緩衝材２０６を配設するため、緩衝材２０６自体の劣化により反発力が低下し、船舶推進性能の低下やアノード効果の機能低下等の問題が生じる。また、船舶推進性能という点からすれば、船体外板１０１とアノード表面は面一であることが望ましいが、防食という面からすれば、船体外板１０１に凹部を設け、その周辺を流れる水流を凹部に引き込み、前記アノード面全体を水流に接触させる方が防食効果を高め、船体外板１０１等に対する防食効果に寄与する。
【先行技術文献】
【特許文献】
【０００７】
【特許文献１】実開昭６３−１０２５９５号公報
【発明の概要】
【発明が解決しようとする課題】
【０００８】
そこで、上記の問題点に鑑み、船体外板からアノードを突出させず、かつ、アノードの表面位置を適宜の位置に調整可能なアノード取付構造を提供することを目的とする。
【課題を解決するための手段】
【０００９】
上記目的を達成するために、本願請求項１に係る発明は、船舶船体外板の適宜の箇所に防食アノードを配置するレセスを設け、前記アノードの表面を前記船体外板と面一又はそれより低い適宜の位置とし、かつ、前記レセスと前記アノードとの間に周囲の水流が流れ込む間隙を設け、前記アノードを船体内から押し出し可能にしたことを特徴とする。
また、本願請求項２に係る発明は、船体外板付アノード取付構造において、船舶船体外板の適宜の箇所に防食アノードを配置するレセスを設け、当該レセス開口面に複数の開口を有するアノードカバーを前記船体外板と面一に設けたことを特徴とする。
さらに、本願請求項３に係る発明は、船体外板付アノード取付構造において、船舶船体外板の適宜の箇所に防食アノードを配置するレセスを設け、当該レセス開口面に複数の開口を有するアノードカバーを前記船体外板と面一に設け、かつ、前記アノードを船体内から押し出し可能にしたことを特徴とする。
そして、本願請求項４に係る発明は、前記請求項１又は３に係る船体外板付アノード取付構造において、前記アノードの船体内から押し出す適宜の位置は、船舶の航海速力の低下あるいは主機燃費の計算結果に基づいて前記アノードを船体内から押し出し決定したことを特徴とする。
また、本願請求項５に係る発明は、前記請求項２ないし４のいずれかに係る船体外板付アノード取付構造において、前記レセスは、船舶のプロペラ近傍の船尾部に配置したことを特徴とする。
さらに、本願請求項６に係る発明は、前記請求項２又は３に係る船体外板付アノード取付構造において、前記アノードカバーに設ける複数の開口のうちの一つの開口の大きさを前記アノードカバーの表面積の３０分の１よりも小さくしたことを特徴とする。
【発明の効果】
【００１０】
本発明は、上述のとおり構成されているので、次に記載する効果を奏する。
（１）アノードの持つ防食効果を損なうことなく、かつ、船体水線面に突出させないため、喫水線下の水の流れへの悪影響を最小限に留めることが可能となった。
（２）また、主機燃費の悪影響を最小限とすることが可能となった。
（３）さらに、アノードの押し出し量を主機燃費等と相関させるようにしたので、アノード効果と推進性能について、効率の良い船体外板付アノード取付構造とすることができる。
【図面の簡単な説明】
【００１１】
【図１】図１（ａ）（ｂ）（ｃ）は、本発明に係る船体外板付アノード取付構造を実施するための船体外板付アノード取付構造の実施例１に係る船体外板付アノード取付構造を上から見た概略図であり、図１（ａ）はアノード取り付け時、図１（ｂ）は、アノード減少時、図１（ｃ）は、アノード押し出し時の状態を示す概略図である。
【図２】図２（ａ）は、本発明に係る船体外板付アノード取付構造の実施例２に係る船体外板付アノード取付構造を上から見た概略図であり、図２（ｂ）は、図２（ａ）に示した矢印方向から見た概略図である。
【図３】図３（ａ）（ｂ）（ｃ）は、本実施例３に係る船体外板付アノード取付構造を上から見た概略図であり、図３（ａ）はアノード１の取り付け概略図、図３（ｂ）は、図３（ａ）に示した矢印方向から見たアノードカバー６の概略図、図３（ｃ）は、アノード１の押し出し時の状態を示す概略図である。
【図４】図４は、従来の船舶に取り付けられるアノード電極の配置位置を示す概略図である。
【図５】図５は、当該アノード電極を船体外板上から見た拡大図である。
【図６】図６は、実開昭６３−１０２５９５号公報に第２図として添付される開示の考案の船舶の防食用アノードの一実施例の部分詳細図である。
【発明を実施するための形態】
【００１２】
本発明に係る船体外板付アノード取付構造を実施するための実施例を図面に基づき詳細に説明する。
【実施例１】
【００１３】
図１（ａ）（ｂ）（ｃ）は、本発明に係る船体外板付アノード取付構造を実施するための船体外板付アノード取付構造の実施例１に係る船体外板付アノード取付構造を上から見た概略図であり、図１（ａ）はアノード取り付け時、図１（ｂ）は、アノード減少時、図１（ｃ）は、アノード押し出し時の状態を示す概略図である。図１（ａ）（ｂ）（ｃ）において、符号１０１は、図２、図３に示したと同じ船体外板、１は、アノード、２は、レセス、３は、ネジ状支持棒、４は、水密パッキン、５は、ハンドルである。
【００１４】
図１（ａ）（ｂ）（ｃ）から明らかなように、本実施例１に係る船体外板付アノード取付構造は、前記アノード１の取り付け箇所の前記船体外板１０１に前記レセス２（凹構造）を設け、つまり、前記アノード１を前記船体外板１０１に設けた凹構造であるレセス２内に配置する構造とすることにより、前記アノード１の表面を前記船体外板１０１と面一又は低い適宜の位置とする構造とし、周囲の水流を前記レセス２と前記アノード１との間に流れ込みやすくさせ、水流とアノード１との接触面積を高め、適切な一にアノード１の表面とすることにより、アノード効果、すなわち、防食効果を高めんとするものである。つまり、アノード効果を高めつつ、推進性能の維持の両者の調整を図ろうとするものであり、この結果、前記アノード１の厚さは、２年仕様で４０ｍｍ、３年仕様で５０ｍｍ程度で足りることとなる。
【００１５】
そして、このような構成からなる本実施例１に係る船体外板付アノード取付構造において、前記アノード１が経年の喫水線１０３下に置かれること等により前記アノード１が減少したりして、その表面が後退して、図１（ｂ）に示すように、前記船体外板１０１と前記アノード１の表面が、適切な位置を維持できなくなる状態となったときには、前記ハンドル５、５を回動させて前記アノード１を押し出し、図１（ｃ）に示すように、その表面が前記船体外板１０１に対し、適切な位置になるようにして、アノード効果を維持すると共に船体抵抗を減少することができるようにしたものである。
なお、当該押し出し量は、航海速力の低下あるいは主機燃費等の計算結果から算出される押し出し量とする。
【００１６】
このように本実施例１に係る船体外板付アノード取付構造は、アノード１の押し出し量を航海速力の低下あるいは主機燃費と関連づけて決定できるようにしたことにある。
【００１７】
個々のアノード取付位置や船舶の推進性能及びアノード１の減少から見て、プロペラ（図示外）近傍の船尾部に配置すれば最も効果的であると想定されるが、図４に示すように、船底全体に配置することを妨げない。また、レセス２の大きさは、本実施例１に係る船体外板付アノード取付構造では、３００ｍｍ×１５０ｍｍ×１００ｍｍ（縦×横×深さ）を想定しているが、排水量、船底面積、取付位置等をも勘案して前記レセス２の大きさや前記アノード１の押し出し量を決定する。
【実施例２】
【００１８】
次に、本発明に係る船体外板付アノード取付構造を実施するための実施例２を図面に基づき詳細に説明する。
図２（ａ）は、本発明に係る船体外板付アノード取付構造の実施例２に係る船体外板付アノード取付構造を上から見た概略図であり、図２（ｂ）は、図２（ａ）に示した矢印方向から見た概略図である。図２（ａ）（ｂ）において、符号１、２及び１０１は、図１（ａ）（ｂ）（ｃ）に示したものと同じアノード１及びレセス２並びに船体外板１０１であり、その余の符号の６は、アノードカバー、７は、アノードカバー受け、８は、留具である。
【００１９】
本実施例２に係る船体外板付アノード取付構造は、当該レセス２内に前記アノード１を配置し、さらに、当該レセス２の開口面に前記船体外板１０１と面一となる前記アノードカバー６を設けた構造のものである。このため、前記レセス２内の前記船体外板１０１近傍には、前記アノードカバー受け７、７を設け、前記アノードカバー６を前記留具８、８で固定するようにしたものである。
また、前記アノードカバー６は、図２（ｂ）に示すように、複数の開口であるアノードカバー穴９、９、９、９が設けられ、当該複数のアノードカバー穴９を通じて船体防食の、いわゆるアノード効果を得られるようにしたものである。
【００２０】
当該アノードカバー穴９の数及び面積は、当該アノードカバー６の表面積に比して大きくない面積とし、その結果、船舶の推進性能に影響を及ぼさない範囲内のものとする。具体的には、水槽試験によれば、本実施例２に係る船体外板付アノード取付構造では、前記アノードカバー６のアノードカバー穴９の数を４個とし、かつ、その一つの穴９の大きさを前記アノードカバー６の表面積の３０分の１程度とすれば、船舶の推進性能に影響を及ぼさない。したがって、１つのアノードカバー穴９の大きさを前記アノードカバー６の表面積の３０分の１よりも小さくするのであれば、前記アノードカバー穴９の数を増やしても良い。なお、前記アノードカバー穴９の形状は、長方形、円形、楕円形のいずれでもあっても良い。
【００２１】
また、本実施例２に係る船体外板付アノード取付構造も、船体に対する取付位置等は、上記実施例１に係る船体外板付アノード取付構造の取付位置に準じて配置する。
【実施例３】
【００２２】
次に、本発明に係る船体外板付アノード取付構造を実施するための実施例３を図面に基づき詳細に説明する。
図３（ａ）（ｂ）（ｃ）は、本実施例３に係る船体外板付アノード取付構造を上から見た概略図であり、図３（ａ）はアノード１の取り付け概略図、図３（ｂ）は、図３（ａ）に示した矢印方向から見たアノードカバー６の概略図、図３（ｃ）は、アノード１の押し出し状態を示す概略図である。図３（ａ）（ｂ）（ｃ）において、使用する符号は、図１（ａ）（ｂ）（ｃ）及び図２（ａ）（ｂ）に示した同じ部材は同じ符号で示し、各部材の機能に変更がない限りその説明は省略する。
【００２３】
図３（ａ）（ｂ）（ｃ）から明らかなように、  本実施例３に係る船体外板付アノード取付構造は、上記実施例１に係る船体外板付アノード取付構造と実施例２に係る船体外板付アノード取付構造の組み合わせに係る構造であり、船体外板１０１内にレセス２を設け、当該レセス２内にアノード１を配置し、さらに、当該レセス２の開口面に前記アノードカバー６を設けたアノード構造のものであり、具体的には、前記船体外板１０１の所定箇所に所定大きさの前記レセス２を設け、当該レセス２内に船体内部から前記ハンドル５、５等で押し出し可能な前記アノード１を設け、かつ、前記レセス２の開口面には、前記船体外板１０１と面一となる前記アノードカバー穴９、９・・が開口された前記アノードカバー６を設けたものである。
【００２４】
本実施例３に係る船体外板付アノード取付構造においても、その取付位置は、上述する実施例１に係る船体外板付アノード取付構造及び実施例２に係る船体外板付アノード取付構造に準じて配置される。
また、前記アノードカバー６のアノードカバー穴９の数及び各穴９の大きさ、形状等も上記実施例２に係る船体外板付アノード取付構造に準ずる。すわわち、前記アノードカバー６に設けられるアノードカバー穴９の数及び面積は、前記アノードカバー６の表面積の３０分の１程度とし、１つのアノードカバー穴９の大きさを前記アノードカバー６の表面積の３０分の１よりも小さくするのであれば、前記アノードカバー穴９の数を増やしたりすることが可能である。
【産業上の利用可能性】
【００２５】
本発明は、船体外板に取り付けるアノードの取付構造に利用される。
【符号の説明】
【００２６】
１ アノード
２ レセス
３、３ ネジ状支持棒
４、４ 水密パッキン
５、５ ハンドル
６ アノードカバー
７、７ アノードカバー受け
８、８ 留具
９、９・・ アノードカバー穴
１００ 船体
１０１ 船体外板
１０２ アノード
１０３ 喫水線
１０４ 居住区
２０１ 船尾船体
２０３ アノード
２０４ 開口
２０５ ボックスプレート
２０６ 緩衝材
２０７ レセス
【図１】
2015140058.tif 000003
【図２】
2015140058.tif 000004
【図３】
2015140058.tif 000005
【図４】
2015140058.tif 000006
【図５】
2015140058.tif 000007
【図６】
2015140058.tif 000008
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
船舶船体外板の適宜の箇所に防食アノードを配置するレセスを設け、前記アノードの表面を前記船体外板と面一又はそれより低い適宜の位置とし、かつ、前記レセスと前記アノードとの間に周囲の水流が流れ込む間隙を設け、前記アノードを船体内から押し出し可能にし、船舶の航海速力の低下あるいは主機燃費の計算結果に基づいて前記アノードの船体内からの押し出し量が決定したことを特徴とする船体外板付アノード取付構造。
【請求項２】
船舶船体外板の適宜の箇所に防食アノードを配置するレセスを設け、当該レセス開口面に複数の開口を有するアノードカバーを前記船体外板と面一に設けたことを特徴とする請求項１に記載の船体外板付アノード取付構造。
【請求項３】
前記レセスは、船舶のプロペラ近傍の船尾部に配置したことを特徴とする請求項１又は２に記載の船体外板付アノード取付構造。
【請求項４】
前記アノードカバーに設ける複数の開口のうちの一つの開口の大きさを前記アノードカバーの表面積の３０分の１よりも小さくしたことを特徴とする請求項２に記載の船体外板付アノード取付構造。
【手続補正２】
【補正対象書類名】明細書
【補正対象項目名】０００９
【補正方法】変更
【補正の内容】
【０００９】
上記目的を達成するために、本願請求項１に係る発明は、船舶船体外板の適宜の箇所に防食アノードを配置するレセスを設け、前記アノードの表面を前記船体外板と面一又はそれより低い適宜の位置とし、かつ、前記レセスと前記アノードとの間に周囲の水流が流れ込む間隙を設け、前記アノードを船体内から押し出し可能にし、船舶の航海速力の低下あるいは主機燃費の計算結果に基づいて前記アノードの船体内からの押し出し量が決定したことを特徴とする。
また、本願請求項２に係る発明は、前記請求項１に記載の船体外板付アノード取付構造において、船舶船体外板の適宜の箇所に防食アノードを配置するレセスを設け、当該レセス開口面に複数の開口を有するアノードカバーを前記船体外板と面一に設けたことを特徴とする。
さらに、本願請求項３に係る発明は、前記請求項１又は２に記載の船体外板付アノード取付構造において、前記レセスは、船舶のプロペラ近傍の船尾部に配置したことを特徴とする。
そして、本願請求項４に係る発明は、前記請求項２に記載の船体外板付アノード取付構造において、前記アノードカバーに設ける複数の開口のうちの一つの開口の大きさを前記アノードカバーの表面積の３０分の１よりも小さくしたことを特徴とする。